(57)【要約】【課題】ユニット取り外し時の遊技媒体こぼれを防止することができるとともに、遊技媒体通路の開閉を適切かつ確実に行うこと。【解決手段】遊技媒体の流れについて上流側に設けられた受皿ユニットは、下流側のユニットから取り外した場合に、このユニット側の遊技媒体通路を閉塞する閉塞位置へ位置づけられるように付勢された可動式のストッパを備え、第一のユニットの下流側に接合される計数ユニットは、受皿ユニットと接合された場合に、ストッパを閉塞位置に維持しつつ、かかるストッパと係合するレバーと、所定の指示を受け付けた場合に、レバーを作動させることによってこのレバーと係合されたストッパを、遊技媒体通路を開放する開放位置へ位置づける通路開閉部とを備えるように各台計数装置を構成する。【選択図】        図４
2010207476.tif 000002
【特許請求の範囲】
【請求項１】
遊技台に対応して設けられており複数のユニットを着脱可能に接合した各台計数装置であって、
遊技媒体の流れについて上流側に設けられた第一のユニットは、
下流側のユニットから取り外した場合に、該ユニット側の遊技媒体通路を閉塞する閉塞位置へ位置づけられるように付勢された可動式の流出防止手段
を備え、
前記第一のユニットの下流側に接合される第二のユニットは、
前記第一のユニットと接合された場合に、前記流出防止手段を前記閉塞位置に維持しつつ、該流出防止手段と係合する係合手段と、
所定の指示を受け付けた場合に、前記係合手段を作動させることによって該係合手段と係合された前記流出防止手段を前記遊技媒体通路を開放する開放位置へ位置づける作動手段と
を備えたことを特徴とする各台計数装置。
【請求項２】
前記流出防止手段は、
取付軸まわりに回動する遊技媒体ストッパであって、通常時には、付勢によって前記閉塞位置に位置づけられており、外力を受けた場合には、付勢に逆らって前記開放位置に位置づけられることを特徴とする請求項１に記載の各台計数装置。
【請求項３】
前記作動手段は、
開放指示を受け付けた場合には、前記流出防止手段を前記開放位置へ位置づけ、閉塞指示を受け付けた場合には、前記流出防止手段を前記閉塞位置へ位置づけることを特徴とする請求項１または２に記載の各台計数装置。
【請求項４】
前記作動手段は、
前記係合手段を作動させるソレノイド
をさらに含んだことを特徴とする請求項１、２または３に記載の各台計数装置。
【請求項５】
前記作動手段は、
前記開放指示として計数開始指示を受け付け、前記閉塞指示として計数禁止指示を受け付けることを特徴とする請求項１〜４のいずれか一つに記載の各台計数装置。
【発明の詳細な説明】
【技術分野】
【０００１】
この発明は、遊技台に対応して設けられており複数のユニットを着脱可能に接合した各台計数装置に関し、特に、ユニット取り外し時の遊技媒体こぼれを防止することができるとともに、遊技媒体通路の開閉を適切かつ確実に行うことができる各台計数装置に関するものである。
【背景技術】
【０００２】
従来から、パチンコ店などの遊技店に設置されるパチンコ機やパチスロ機といった遊技台と並設され、パチンコ玉やメダルといった遊技媒体を貸し出す貸出処理機（以下、「台間装置」と記載する）が知られている。また、遊技台において遊技者が獲得した遊技媒体の数量を台間装置と接続された各台計数装置が計数する、いわゆる各台計数方式も知られてきた（たとえば、特許文献１参照）。
【０００３】
かかる各台計数装置は、たとえば、遊技台が設置される膳板上に配置されており、遊技台の下皿から排出される遊技媒体を受皿部が受け入れ、受皿部から流出した遊技媒体を通路部経由で台間装置の下部に設けられた計数部へと案内する。そして、計数部では送り込まれた遊技媒体を計数する。
【０００４】
ここで、各台計数方式を採用した場合、各台計数装置の内部に遊技媒体詰まりが発生すると迅速に詰まり解除作業を行う必要がある。なぜならば、特賞などで遊技台から大量の遊技媒体が排出された場合にこそ遊技媒体詰まりが発生しやすく、迅速に詰まり解除を行わないと遊技台の下皿などから遊技媒体があふれてしまうからである。
【０００５】
このように、詰まり解除作業には迅速性が求められるため、作業効率向上の観点から、各台計数装置を複数のユニットから構成し、所定のユニットを着脱可能とした各台計数装置が提案されている。そして、ユニットを取り外した際に、ユニット内の通路から遊技媒体がこぼれることを防止する技術についても提案されている。
【０００６】
たとえば、特許文献２には、受皿ユニットにおける下流側出口に遊技媒体こぼれを防止するストッパを設ける技術が開示されている。具体的には、受皿ユニットを下流側のセンサユニットと接合した場合には、かかるストッパが開状態となってセンサユニットへ遊技媒体を通過させるとともに、受皿ユニットをセンサユニットから取り外した場合には、かかるストッパが閉状態となることで、受皿ユニットからの遊技媒体こぼれを防止する。
【先行技術文献】
【特許文献】
【０００７】
【特許文献１】特開２００７−２２９１１１号公報
【特許文献２】特許第３５７７８５０号公報
【発明の概要】
【発明が解決しようとする課題】
【０００８】
しかしながら、特許文献２の技術を用いた場合、受皿ユニットをセンサユニットに接続すると、ただちに、センサユニットへ遊技媒体が流入してしまう。このため、センサユニットが故障しているにもかかわらず、大量の遊技媒体がセンサユニットへ流入してしまうという問題が発生していた。
【０００９】
なお、各台計数装置の中には、センサユニット内に、通路閉塞用のシャッタを備えるものもある。このため、かかるシャッタと、特許文献２のストッパとを併用することも考えられるが、装置構造が複雑化してしまい、通路開閉の確実性が低下を招くおそれがあるので好ましくない。
【００１０】
これらのことから、ユニット取り外し時の遊技媒体こぼれを防止することができるとともに、遊技媒体通路の開閉を適切かつ確実に行うことができる各台計数装置をいかにして実現するかが大きな課題となっている。
【００１１】
この発明は、上述した従来技術による問題点を解消するためになされたものであって、ユニット取り外し時の遊技媒体こぼれを防止することができるとともに、遊技媒体通路の開閉を適切かつ確実に行うことができる各台計数装置を提供することを目的とする。
【課題を解決するための手段】
【００１２】
上述した課題を解決し、目的を達成するため、本発明は、遊技台に対応して設けられており複数のユニットを着脱可能に接合した各台計数装置であって、遊技媒体の流れについて上流側に設けられた第一のユニットは、下流側のユニットから取り外した場合に、該ユニット側の遊技媒体通路を閉塞する閉塞位置へ位置づけられるように付勢された可動式の流出防止手段を備え、前記第一のユニットの下流側に接合される第二のユニットは、前記第一のユニットと接合された場合に、前記流出防止手段を前記閉塞位置に維持しつつ、該流出防止手段と係合する係合手段と、所定の指示を受け付けた場合に、前記係合手段を作動させることによって該係合手段と係合された前記流出防止手段を前記遊技媒体通路を開放する開放位置へ位置づける作動手段とを備えたことを特徴とする。
【００１３】
また、本発明は、上記の発明において、前記流出防止手段は、取付軸まわりに回動する遊技媒体ストッパであって、通常時には、付勢によって前記閉塞位置に位置づけられており、外力を受けた場合には、付勢に逆らって前記開放位置に位置づけられることを特徴とする。
【００１４】
また、本発明は、上記の発明において、前記作動手段は、開放指示を受け付けた場合には、前記流出防止手段を前記開放位置へ位置づけ、閉塞指示を受け付けた場合には、前記流出防止手段を前記閉塞位置へ位置づけることを特徴とする。
【００１５】
また、本発明は、上記の発明において、前記作動手段は、前記係合手段を作動させるソレノイドをさらに含んだことを特徴とする。
【００１６】
また、本発明は、上記の発明において、前記作動手段は、前記開放指示として計数開始指示を受け付け、前記閉塞指示として計数禁止指示を受け付けることを特徴とする。
【発明の効果】
【００１７】
本発明によれば、遊技媒体の流れについて上流側に設けられた第一のユニットは、下流側のユニットから取り外した場合に、このユニット側の遊技媒体通路を閉塞する閉塞位置へ位置づけられるように付勢された可動式の流出防止手段を備え、第一のユニットの下流側に接合される第二のユニットは、第一のユニットと接合された場合に、流出防止手段を閉塞位置に維持しつつ、かかる流出防止手段と係合する係合手段と、所定の指示を受け付けた場合に、係合手段を作動させることによってこの係合手段と係合された流出防止手段を遊技媒体通路を開放する開放位置へ位置づける作動手段とを備えることとしたので、ユニット取り外し時には閉塞位置へ位置づけられる可動式の流出防止手段によって、ユニット取り外し時の遊技媒体こぼれを防止することができるとともに、ユニット接合時にも流出防止手段を閉塞位置に維持しつつ、係合手段を作動させてはじめて流出防止手段を開放位置へ位置づけることによって、遊技媒体通路の開閉を適切かつ確実に行うことができるという効果を奏する。
【００１８】
また、本発明によれば、流出防止手段は、取付軸まわりに回動する遊技媒体ストッパであって、通常時には、付勢によって閉塞位置に位置づけられており、外力を受けた場合には、付勢に逆らって開放位置に位置づけられることとしたので、流出防止手段を手動で作動させることで、第一のユニット内に詰まった遊技媒体を容易に取り出すことができるという効果を奏する。
【００１９】
また、本発明によれば、作動手段は、開放指示を受け付けた場合には、流出防止手段を開放位置へ位置づけ、閉塞指示を受け付けた場合には、流出防止手段を閉塞位置へ位置づけることとしたので、流出防止手段に対して通路開閉シャッタの役割を兼ねさせることができるという効果を奏する。
【００２０】
また、本発明によれば、作動手段は、係合手段を作動させるソレノイドをさらに含んだこととしたので、電気的な制御で流出防止手段の開閉を行うことができるという効果を奏する。
【００２１】
また、本発明によれば、作動手段は、開放指示として計数開始指示を受け付け、閉塞指示として計数禁止指示を受け付けることとしたので、計数ユニットの状態に応じて流出防止手段を開閉することができるという効果を奏する。
【図面の簡単な説明】
【００２２】
【図１】図１は、本実施例に係る各台計数装置の配置を示す図である。
【図２】図２は、各台計数装置の取り外し手順を示す図である。
【図３】図３は、本実施例に係る各台計数装置の概要を示す図である。
【図４】図４は、本実施例に係る各台計数装置の構成を示すブロック図である。
【図５】図５は、ストッパの構造を示す図である。
【図６】図６は、レバーの構造およびレバーとストッパとが係合する様子を示す図である。
【図７】図７は、ストッパの変形例その１を示す図である。
【図８】図８は、ストッパの変形例その２を示す図である。
【図９】図９は、ストッパまたはレバーの取付位置の変形例を示す図である。
【発明を実施するための形態】
【００２３】
以下に添付図面を参照して、本発明に係る各台計数装置の好適な実施例を詳細に説明する。なお、以下では、いわゆるパチンコ台に対応して設けられ、パチンコ玉を計数する各台計数装置についての実施例を説明することとする。
【実施例】
【００２４】
図１は、本実施例に係る各台計数装置１の配置を示す図である。なお、同図では、遊技台の記載を省略しているが、遊技台は、同図に示す台間装置１００の右側に隣接する位置であって、各台計数装置１の受皿部１１の後方位置に設けられるものとする。
【００２５】
まず、各台計数装置１が接続される台間装置１００について説明する。台間装置１００は、各台計数装置１に属する計数ユニット１１０の上方に設けられている。なお、計数ユニット１１０は、台間装置１００に属するユニットとして取り扱われることもある。ここで、計数ユニット１１０は、台間装置１００の着脱機構である図示しない台間装置ロック機構に対して固定されており、さらに、各台計数装置１の通路部１２が接続される。
【００２６】
次に、各台計数装置１の構成について説明する。図１に示したように、各台計数装置１は、着脱可能な受皿ユニット１０と、着脱可能な計数ユニット１１０とを接合することで構成されている。また、受皿ユニット１０は、受皿部１１と、通路部１２とが一体化されたユニットである。なお、後述するように、受皿部１１と、通路部１２とを着脱可能に構成することとしてもよい。
【００２７】
ここで、受皿ユニット１０は、膳板上を手前側（遊技客側）にスライドさせることで、計数ユニット１１０から取り外すことができる。なお、受皿部１１は、上面が開放された受皿で遊技台から落下してきたパチンコ玉を受け止め、受皿に設けられた自然勾配によってパチンコ玉を通路部１２へと送り出す。
【００２８】
また、受皿部１１の前方（遊技客側）には、計数結果を表示するディスプレイなどの表示部１１ａと、遊技客が台間装置１００からパチンコ玉の貸し出しを受ける際に操作するボタンなどの操作部１１ｂとが設けられる。なお、各台計数装置１に属する受皿ユニット１０および計数ユニット１１０は、図示しないロック機構で、膳板などに固定されているものとする。
【００２９】
次に、各台計数装置１に属する受皿ユニット１０の取り外し手順について図２を用いて説明する。図２は、受皿ユニット１０の取り外し手順を示す図である。図２の（Ａ）に示すように、受皿ユニット１０を取り外す場合には、まず、台間装置１００を同図の（１）に示した向きに引き出す必要がある。このように、台間装置１００を引き出すことによって、たとえば、各台計数装置１に属する計数ユニット１１０の上面に設けられたロック解除レバーを操作することが可能となる（同図の（２）参照）。
【００３０】
なお、台間装置１００は、取り付け状態では、同図に示す取付枠２００に固定されている。ここで、台間装置１００を引き出すためには、遊技店の従業員が保持するリモコンなどで、取付枠２００とのロックを解除することが必要となる。なお、従業員が台間装置１００の操作ボタン経由で暗証番号を入力することで、台間装置１００と取付枠２００とのロックを解除することも可能である。
【００３１】
このように、各台計数装置１に属する受皿ユニット１０を取り外す場合には、台間装置１００を引き出す手順が必要となることから、たとえ悪意のある遊技客であっても、人目につきやすい図２の（Ａ）に示した手順を実行することは困難である。
【００３２】
また、図２の（Ｂ）に示したように、受皿ユニット１０は、膳板上に設けられた膳板側ロック機構３００で膳板にも固定されている。たとえば、かかるロック機構３００のロック解除レバーをロック解除位置で保持したまま（同図の（３ａ）参照）、同図に示した方向に受皿ユニット１０を引き出すことで（同図の（３ｂ）参照）、受皿ユニット１０を取り外すことができる。
【００３３】
なお、各台計数装置１に属する計数ユニット１１０を取り外す場合には、上記したロック解除レバーの操作によって、取付枠２００に対するロック解除を行うこととすればよい。また、取付枠２００に対するロック解除用のロック解除レバーを別途設けることとしてもよい。
【００３４】
次に、本実施例に係る各台計数装置１の概要について図３を用いて説明する。図３は、本実施例に係る各台計数装置１の概要を示す図である。なお、同図では、各台計数装置１に属する受皿ユニット１０および計数ユニット１１０を簡略化して示している。
【００３５】
また、同図の（Ａ）には、両ユニットが接合されており、パチンコ玉の流れが許容されている状態について、同図の（Ｂ）には、計数ユニット１１０から受皿ユニット１０を取り外した状態について、それぞれ示している。そして、同図の（Ｃ）には、計数ユニット１１０に対して受皿ユニット１０を取り付けた直後の状態について示している。
【００３６】
図３の（Ａ）に示したように、受皿ユニット１０には、計数ユニット１１０側が低くなるように傾いた遊技媒体通路３１ｂが設けられており、計数ユニット１１０には、受皿ユニット１０側が高くなるように傾いた遊技媒体通路３１ａが設けられている。そして、同図に示したように、両ユニットが接合された状態では、遊技媒体通路３１ａおよび３１ｂは、一つの通路を構成する。これによって、パチンコ玉２は、受皿ユニット１０から計数ユニット１１０へ向かう方向３２へ流れることになる。
【００３７】
ここで、図３の（Ａ）に示したように、受皿ユニット１０には、可動式の遊技媒体ストッパ１０ａ（以下、単に「ストッパ１０ａ」と記載する）が設けられており、計数ユニット１１０には、同じく可動式のレバー１１０ａが設けられている。また、両ユニットが接合された状態では、レバー１１０ａは、ストッパ１０ａに係合している。
【００３８】
そして、計数ユニット１１０に対するパチンコ玉２の流入を許可した状態では、ストッパ１０ａは、レバー１１０ａによって無効化されている（同図の（Ａ−１）参照）。これによって、パチンコ玉２は、ストッパ１０ａに遮られることなく、計数ユニット１１０へ流入することになる。
【００３９】
次に、図３の（Ｂ）に示したように、計数ユニット１１０から受皿ユニット１０を取り外した場合には、計数ユニット１１０のレバー１１０ａと、受皿ユニット１０のストッパ１０ａとの係合が解除されるので、ストッパ１０ａは有効化される（同図の（Ｂ−１）参照）。これによって、受皿ユニット１０内のパチンコ玉２は、ストッパ１０ａでせき止められるので、受皿ユニット１０からのこぼれ玉を防止することができる。
【００４０】
次に、図３の（Ｃ）に示したように、取り外した受皿ユニット１０を計数ユニット１１０へ取り付けた場合には、計数ユニット１１０のレバー１１０ａは、受皿ユニット１０のストッパ１０ａと係合するものの、ストッパ１０ａの有効化を維持する（同図の（Ｃ−１）参照）。これによって、受皿ユニット１０内のパチンコ玉２が、計数ユニット１１０内へ流入することを防止することができる。
【００４１】
そして、計数ユニット１１０は、通路閉塞解除の指示を受け付けたならば（同図の（Ｃ−２）参照）、レバー１１０ａを作動させてストッパ１０ａを無効化することによって、通路閉塞を解除する（同図の（Ｃ−３）参照）。
【００４２】
このように、本実施例に係る各台計数装置１は、受皿ユニット１０にストッパ１０ａを、計数ユニット１１０にストッパ１０ａと係合するレバー１１０ａを、それぞれ設けることとした。そして、計数ユニット１１０から受皿ユニット１０を取り外した場合には、レバー１１０ａとの係合解除によってストッパ１０ａを有効化することとした。
【００４３】
そして、受皿ユニット１０を計数ユニット１１０へ取り付けた場合には、レバー１１０ａとストッパ１０ａとは係合するものの、ストッパ１０ａの有効化を維持することとした。さらに、所定の指示を受け付けた場合に、レバー１１０ａ経由でストッパ１０ａを無効化することとした。
【００４４】
したがって、本実施例に係る各台計数装置１によれば、ストッパ１０ａでユニット取り外し時のこぼれ玉を防止することができるとともに、ユニット取付時に、上流側ユニットから下流側ユニットへのパチンコ玉２の流入を防止することができる。また、ストッパ１０ａを、通路開閉用のシャッタとして用いることができるので、各台計数装置１の構造を簡略化することが可能となり、これによって、確実な通路開閉を行うことができる。
【００４５】
次に、本実施例に係る各台計数装置１の構成について図４を用いて説明する。図４は、本実施例に係る各台計数装置１の構成を示すブロック図である。同図に示すように、各台計数装置１は、計数ユニット１１０と、受皿ユニット１０とを備えている。
【００４６】
まず、計数ユニット１１０の構成について説明する。同図に示すように、計数ユニット１１０は、コネクタ１１１と、計数部１１２と、ソレノイド１１３と、制御部１１４とを備えている。また、制御部１１４は、指示受付部１１４ａと、通路開閉部１１４ｂとをさらに備えている。
【００４７】
コネクタ１１１は、台間装置１００から通路開閉に関する指示を受け付けるデバイスであり、受け付けた指示を制御部１１４へ渡す処理を行う。なお、計数ユニット１１０は、コネクタ１１１経由で、電力の供給を受けるものとする。計数部１１２は、各種センサを用いて遊技媒体の数を計数するデバイスであり、計数が可能な状態であるか、不可能な状態であるかといった作動状態を制御部１１４へ渡す処理を行う。
【００４８】
ソレノイド１１３は、制御部１１４の通路開閉部１１４ｂからの信号に基づいて作動するソレノイドである。ここで、ソレノイド１１３は、上述したレバー１１０ａ（図３参照）と接続されており、レバー１１０ａを作動させる。なお、レバー１１０ａが作動する様子については、図６を用いて後述する。
【００４９】
レバー１１０ａは、ソレノイド１１３によって作動される部材であり、計数ユニット１１０と受皿ユニット１０とが接合された場合には、ストッパ１０ａと係合する。そして、レバー１１０ａは、ソレノイド１１３によって作動されることで、ストッパ１０ａを動かし、遊技媒体通路を開閉する。
【００５０】
制御部１１４は、ソレノイド１１３経由でレバー１１０ａの作動制御を行う処理部である。指示受付部１１４ａは、コネクタ１１１から受け取った指示を通路開閉部１１４ｂへ通知する処理を行う処理部である。なお、コネクタ１１１からの電力供給が停止した場合には、指示受付部１１４ａの作動自体が停止してしまうが、この場合であっても、レバー１１０ａは、自重で回動してストッパ１０ａを閉塞位置へ位置づける。
【００５１】
通路開閉部１１４ｂは、指示受付部１１４ａから受け取った指示および計数部１１２から受け取った信号に基づいてソレノイド１１３を作動させる処理を行う処理部である。たとえば、この通路開閉部１１４ｂは、台間装置１００から通路閉鎖指示を受け取った場合には、レバー１１０ａと係合するストッパ１０ａが通路を閉鎖するように、ソレノイド１１３を作動させる。
【００５２】
また、台間装置１００から通路開放指示を受け取った場合には、レバー１１０ａと係合するストッパ１０ａが通路を開放するように、ソレノイド１１３を作動させる。このようにすることで、受皿ユニット１０のストッパ１０ａを通路開閉用のシャッタとしても用いることができる。
【００５３】
ここで、通路開閉部１１４ｂは、台間装置１００から通路開放指示を受け取った場合であっても、計数部１１２から計数可能である旨の通知を受け取るまでは、ソレノイド１１３を作動させないこととしてもよい。
【００５４】
次に、受皿ユニット１０の構成について説明する。同図に示すように、受皿ユニット１０は、ストッパ１０ａを有している。なお、ストッパ１０ａは、受皿ユニット１０を計数ユニット１１０へ取り付けた場合には、計数ユニット１１０のレバー１１０ａと係合する。なお、同図では、ストッパ１０ａ以外の構成要素の記載を省略している。
【００５５】
次に、受皿ユニット１０に設けられるストッパ１０ａの詳細な構造について図５を用いて説明しておく。図５は、ストッパ１０ａの構造を示す図である。なお、同図の（Ａ）には、計数ユニット１１０から取り外された状態の受皿ユニット１０の斜視図を、同図の（Ｂ−１）には、有効化時のレバー１１０ａの状態を、同図の（Ｂ−２）には、無効化時のレバー１１０ａの状態を、それぞれ示している。
【００５６】
図５の（Ａ）に示すように、受皿ユニット１０には、パチンコ玉２の通路３１ｂが設けられている。なお、同図では、２つのレーンを有する通路３１ｂを例示しているが、レーン数については、特に制限はない。また、受皿ユニット１０には、段付きピン５１が設けられている。かかる段付きピン５１は、先端にテーパーを付した円柱状のピンであり、ピンの先端から所定位置にくびれを有している。
【００５７】
なお、計数ユニット１１０には、段付きピン５１に対応する位置に、段付きピン５１を貫通させるための図示しないボスが設けられており、段付きピン５１のくびれに、図示しないロック機構がかみ合うことで、受皿ユニット１０をロックする。
【００５８】
図５の（Ａ）に示したように、ストッパ１０ａは、取付軸５２まわりに回動可能に取り付けられている。そして、計数ユニット１１０から取り外された状態では、受皿ユニット１０内のパチンコ玉２が、受皿ユニット１０外へ流出することを防止する位置に静止する。以下では、ストッパ１０ａについてさらに詳細に説明する。
【００５９】
図５の（Ｂ−１）に示したように、ストッパ１０ａが有効化された状態、すなわち、図５の（Ａ）に示した状態では、ストッパ１０ａは、通路３１ｂ上のパチンコ玉２をせき止める位置に位置づけられる。具体的には、ストッパ１０ａは、バネなどの付勢機構５４によって、取付軸５２まわりに、方向５５の向きに付勢されている。そして、ストッパ１０ａは、ピン５３に接して静止する。
【００６０】
また、図５の（Ｂ−２）に示したように、指５６などで操作されることによってストッパ１０ａが無効化される場合には、ストッパ１０ａは、付勢機構５４による付勢に逆らって回転軸まわりに回動し（同図の方向５７参照）、受皿ユニット１０内のパチンコ玉２は、受皿ユニット１０外へ流出する。
【００６１】
なお、図５の（Ｂ−２）には、ストッパ１０ａを手動で無効化する場合について示したが、受皿ユニット１０を計数ユニット１１０へ取り付けた場合には、計数ユニット１１０のレバー１１０ａが、ストッパ１０ａと係合することで、ストッパ１０ａの有効化および無効化を行うことになる。そこで、以下では、かかるレバー１１０ａとストッパ１０ａとの関係について説明することとする。
【００６２】
図６は、レバー１１０ａの構造およびレバー１１０ａとストッパ１０ａとが係合する様子を示す図である。なお、同図の（Ａ）には、受皿ユニット１０を計数ユニット１１０から取り外した状態について、同図の（Ｂ）には、受皿ユニット１０が計数ユニット１１０へ取り付けられた直後の状態について、それぞれ示している。そして、同図の（Ｃ）には、レバー１１０ａによってストッパ１０ａが無効化された状態について示している。
【００６３】
図６の（Ａ）に示したように、レバー１１０ａは、ソレノイド１１３と接続されている。また、レバー１１０ａは、取付軸６１まわりに回動可能に取り付けられている。そして、受皿ユニット１０を計数ユニット１１０から取り外した状態では、レバー１１０ａは、同図に示した位置に静止している。一方、受皿ユニット１０のストッパ１０ａは、有効化されており、受皿ユニット１０からパチンコ玉２が流出することを防止している。
【００６４】
そして、図６の（Ｂ）に示したように、受皿ユニット１０が計数ユニット１１０へ取り付けられた直後の状態では、レバー１１０ａは、ストッパ１０ａの先端部分の下側からストッパ１０ａと係合する。ここで、ストッパ１０ａは、図６の（Ａ）に示した場合と同様に、有効化されたままである。したがって、受皿ユニット１０を計数ユニット１１０へ取り付けても、パチンコ玉２が計数ユニット１１０内へ流入しない。
【００６５】
つづいて、図６の（Ｃ）に示したように、ソレノイド１１３が作動することによって、レバー１１０ａが、反時計まわりに回動すると、ストッパ１０ａは、取付軸５２まわりに時計回りに回動し、無効化される。これによって、受皿ユニット１０内のパチンコ玉２が、計数ユニット１１０内へ流入する。
【００６６】
次に、ストッパ１０ａの変形例について図７および図８を用いて説明する。図７は、ストッパ１０ａの変形例その１を示す図であり、図８は、ストッパ１０ｂの変形例その２を示す図である。
【００６７】
図７に示したのは、閉塞時には、通路３１ｂへ突起部分を突出させるストッパ７１である。ここで、ストッパ７１は、バネなどによって取付軸７２まわりに方向７３へ付勢されている。したがって、図７の（Ａ）に示したように、計数ユニット１１０から受皿ユニット１０を取り外した状態では、ストッパ７１は、通路３１ｂへ突起部分を突出させるので、かかる突起部分によってパチンコ玉２がせき止められる。
【００６８】
一方、図７の（Ｂ）に示したように、受皿ユニット１０を計数ユニット１１０へ取り付けた場合には、計数ユニット１１０の通路３１ａの下方に設けられたアテ７４に沿ってストッパ７１の先端が押し下げられるので、ストッパ７１の突起部分は通路３１ｂの下方へ引っ込むことになる。したがって、受皿ユニット１０内のパチンコ玉２が計数ユニット１１０内へ流入する。
【００６９】
ここで、アテ７４を可動式の機構としたうえで、アテ７４をソレノイド１１３などで作動させることとすれば、図６に示した場合と同様に、受皿ユニット１０を計数ユニット１１０へ取り付けた直後には、計数ユニット１１０へのパチンコ玉２の流入を禁止しつつ、所定のタイミングでパチンコ玉２の流入を許可することができる。
【００７０】
図８に示したのは、ストッパ１０ａ構造の変形例である。なお、同図では、パチンコ玉２の流れについて上流側のユニットをユニット８１と、下流側のユニットをユニット８２として記載している。
【００７１】
図８の（Ａ）に示したように、上流側ユニット８１の側面などに可動式の扉８３を設け、かかる扉８３をストッパ１０ａとして用いることとしてもよい。この場合、扉８３は、取付軸８４まわりに回動するように取り付けられているので、上流側ユニット８１を、下流側ユニット８２から取り外す場合には、手動操作によって扉８３を、同図に示した位置８３ａへ回動させることとすれば、上流側ユニット８１からのパチンコ玉２の流出を防止することができる。
【００７２】
また、図８の（Ｂ）に示したように、上流側ユニット８１の上面などに穴８５を設け、この穴８５を抜き差しする棒８６をストッパ１０ａとして用いることとしてもよい。この場合、棒８６を方向８７へ挿入することで、上流側ユニット８１からのパチンコ玉２の流出を防止することができる。
【００７３】
次に、ストッパ１０ａまたはレバー１１０ａの取付位置の変形例について図９を用いて説明する。図９は、ストッパ１０ａまたはレバー１１０ａの取付位置の変形例を示す図である。なお、同図の（Ａ）には、受皿ユニット１０の受皿部１１および通路部１２を分割する場合について、同図の（Ｂ）には、通路部１２にもレバー１１０ａを設ける場合について、それぞれ示している。また、同図の矢印９１は、パチンコ玉２の流れの方向、すなわち、各台計数装置１内の通路が低い方向を示している。
【００７４】
図９の（Ａ）に示したように、各台計数装置１を計数ユニット１１０と、通路部１２と、受皿部１１とに分割した場合、図６等に示した場合と同様に、計数ユニット１１０の通路部１２側にレバー１１０ａを、通路部１２の計数ユニット１１０側にストッパ１０ａを設けることとすればよい。そして、受皿部１１の通路部１２側にストッパ１０ａを設けることとしてもよい。
【００７５】
なお、図９の（Ｂ）に示したように、通路部１２の受皿部１１側にレバー１１０ａを設け、受皿部１１のストッパ１０ａと係合させることとしてもよい。このように、上流側ユニットの下流側ユニットとの接合部にストッパ１０ａを設けることとすれば、上流側ユニットを取り外した場合に、上流側ユニットからパチンコ玉２がこぼれることを防止することができる。
【００７６】
そして、各台計数装置１内の通路において少なくとも１カ所に、ストッパ１０ａと係合するレバー１１０ａを設けることとすれば、ストッパ１０ａの有効化および無効化をレバー１１０ａ経由で行うことができるので、通路開閉を適切なタイミングで行うことができる。
【００７７】
上述してきたように、本実施例では、遊技媒体の流れについて上流側に設けられた受皿ユニットは、下流側のユニットから取り外した場合に、このユニット側の遊技媒体通路を閉塞する閉塞位置へ位置づけられるように付勢された可動式のストッパを備え、第一のユニットの下流側に接合される計数ユニットは、受皿ユニットと接合された場合に、ストッパを閉塞位置に維持しつつ、かかるストッパと係合するレバーと、所定の指示を受け付けた場合に、レバーを作動させることによってこのレバーと係合されたストッパを、遊技媒体通路を開放する開放位置へ位置づける通路開閉部とを備えるように各台計数装置を構成した。
【００７８】
したがって、ユニット取り外し時には閉塞位置へ位置づけられる可動式のストッパによって、ユニット取り外し時の遊技媒体こぼれを防止することができるとともに、ユニット接合時にはストッパを閉塞位置に維持しつつ、レバーを作動させてはじめてストッパを開放位置へ位置づけることによって、遊技媒体通路の開閉を適切かつ確実に行うことができる。
【００７９】
なお上述した実施例では、ソレノイドでレバーを作動させ、ストッパを通路開閉シャッタとして用いる場合について説明したが、レバーと連結されたリンク機構を設け、かかるリンク機構を従業員が台間装置を操作する際の鍵の開閉と連動させることによって、レバーを作動させることとしてもよい。この場合、たとえば、従業員によって台間装置のロックが解除されると、かかるロック解除操作に連動してストッパが通路を閉塞するようにすればよい。
【産業上の利用可能性】
【００８０】
以上のように、本発明に係る各台計数装置は、ユニット取り外し時の遊技媒体こぼれを防止したい場合に有用であり、特に、遊技媒体通路の開閉を適切かつ確実に行いたい場合に適している。
【符号の説明】
【００８１】
１    各台計数装置
２    パチンコ玉
１０    受皿ユニット
１０ａ  ストッパ
１１    受皿部
１１ａ  表示部
１１ｂ  操作部
１２    通路部
１００    台間装置
１１０    計数ユニット
１１０ａ  レバー
１１１    コネクタ
１１２    計数部
１１３    ソレノイド
１１４    制御部
１１４ａ  指示受付部
１１４ｂ  通路開閉部
【図１】
2010207476.tif 000003
【図２】
2010207476.tif 000004
【図３】
2010207476.tif 000005
【図４】
2010207476.tif 000006
【図５】
2010207476.tif 000007
【図６】
2010207476.tif 000008
【図７】
2010207476.tif 000009
【図８】
2010207476.tif 000010
【図９】
2010207476.tif 000011